(57)【要約】【課題】端子の配列数が増加した場合にも抜去力を安定させてソケットとヘッダとを容易に離脱させることのできるコネクタを得る。【解決手段】それぞれのコンタクト（ソケット側端子）２２とポスト（ヘッダ側端子）３２とに、互いに相手側の端子に係合してソケット２とヘッダ３との結合状態を保持するロック部１０が設けられたコネクタ１において、前記ロック部１０を、ソケット２およびヘッダ３の離脱時に主に抜去力Ｆが印加される部位にのみ設けるようにする。【選択図】図３
2012155928.tif 000002
【特許請求の範囲】
【請求項１】
接離自在に接触するソケット側端子とヘッダ側端子とをそれぞれ複数有し、それぞれのソケット側端子とヘッダ側端子とに、互いに相手側の端子に係合してソケットとヘッダとの結合状態を保持するロック部が設けられたコネクタにおいて、
前記ロック部を、前記ソケットおよびヘッダの離脱時に主に抜去力が印加される部位にのみ設けるようにしたことを特徴とするコネクタ。
【請求項２】
前記抜去力が印加される部位を、複数のソケット側端子からなるソケット側端子群および複数のヘッダ側端子からなるヘッダ側端子群のそれぞれの両端部に設定したことを特徴とする請求項１に記載のコネクタ。
【請求項３】
前記ソケット側端子およびヘッダ側端子は、それぞれがコネクタの幅方向に一対設けられており、前記一対のソケット側端子をコネクタの長手方向に複数配列してソケット側端子群を構成するとともに、前記一対のヘッダ側端子をコネクタの長手方向に複数配列してヘッダ側端子群を構成し、前記抜去力が印加される部位を、前記ソケット側端子群および前記ヘッダ側端子群のそれぞれの四隅部分に設定したことを特徴とする請求項１または２に記載のコネクタ。
【請求項４】
前記ロック部を、前記ソケット側端子群および前記ヘッダ側端子群のそれぞれの中央部にさらに設けたことを特徴とする請求項２または３に記載のコネクタ。
【請求項５】
請求項１〜４のうち何れか１項に記載のコネクタで用いられるソケット。
【請求項６】
請求項１〜４のうち何れか１項に記載のコネクタで用いられるヘッダ。
【発明の詳細な説明】
【技術分野】
【０００１】
本発明は、コネクタならびに当該コネクタで用いられるソケットおよびヘッダに関する。
【背景技術】
【０００２】
２枚のプリント基板を脱着自在に電気接続する手段として、一方のプリント基板に実装されるソケットと、他方のプリント基板に実装されるヘッダとを備えたコネクタが利用されている。ソケットには、ソケット側端子が設けられている一方で、ヘッダには、ソケットに嵌合した際にソケット側端子に接触するヘッダ側端子が設けられている。したがって、ソケットにヘッダを嵌合して結合することにより、ソケット側端子とヘッダ側端子とがそれぞれ電気的に接続され、２枚のプリント基板を導通させることができる。
【０００３】
ところで、ソケット側端子とヘッダ側端子との接触部間には、互いに相手側の端子に係合してソケットとヘッダとの結合状態を保持するためにロック部を設けるようにしたものが知られている（例えば特許文献１参照）。
【０００４】
この特許文献１では、ソケット側端子に相手側端子方向に湾曲して突出する接触凸部が設けられるとともに、ヘッダ側端子にはこの接触凸部を乗り越えて係合する突起が設けられており、これら接触凸部と突起とによってロック部が構成されている。
【先行技術文献】
【特許文献】
【０００５】
【特許文献１】特開２００５−２９４０３４号公報
【発明の概要】
【発明が解決しようとする課題】
【０００６】
しかしながら、上記従来のコネクタにあっては、ソケット側端子とヘッダ側端子とがコネクタの長手方向に複数配列されて端子群を構成しており、その複数配列されたすべてのソケット側端子とヘッダ側端子とにロック部が設けられている。そして、ロック部は１組のソケット側端子とヘッダ側端子との係合状態を確実に保持できる程度に係合量が大きくなっている。
【０００７】
したがって、コネクタにソケット側端子とヘッダ側端子とが複数設けられた場合には、それら端子の配列数に伴ってロック部も増加するため、ソケットとヘッダとを離脱させる際の抜去力が配列数に比例して増大してしまう。このため、端子の配列数が多くなってしまうと、ソケットとヘッダは固くなり過ぎて離脱し辛くなってしまうという不具合があった。
【０００８】
そこで、本発明は、端子の配列数が増加した場合にも抜去力を安定させてソケットとヘッダとを容易に離脱させることのできるコネクタを得ることを目的とする。
【課題を解決するための手段】
【０００９】
上記目的を達成するために、本発明にあっては、接離自在に接触するソケット側端子とヘッダ側端子とをそれぞれ複数有し、それぞれのソケット側端子とヘッダ側端子とに、互いに相手側の端子に係合してソケットとヘッダとの結合状態を保持するロック部が設けられたコネクタにおいて、前記ロック部を、前記ソケットおよびヘッダの離脱時に主に抜去力が印加される部位にのみ設けるようにしたことを特徴とする。
【発明の効果】
【００１０】
本発明によれば、ソケット側端子とヘッダ側端子のロック部を、ソケットおよびヘッダの離脱時に主に抜去力が印加される部位にのみ設けるようにしたので、端子の配列数が増加した場合にも抜去力が増大してしまうのを抑制することができ、ソケットとヘッダとを容易に離脱させることができる。
【００１１】
すなわち、本発明によれば、端子の配列数が増加した場合にも、ソケットとヘッダとを容易に離脱させることの可能なコネクタならびに当該コネクタで用いられるソケットおよびヘッダを得ることができる。
【図面の簡単な説明】
【００１２】
【図１】図１は、本発明の一実施形態にかかるコネクタのソケット全体を斜め上方から見た斜視図である。
【図２】図２は、本発明の一実施形態にかかるコネクタのヘッダ全体を斜め上方から見た斜視図である。
【図３】図３は、本発明の一実施形態にかかるコネクタの結合状態を図１中I−I線に対応する部分で断面した断面図である。
【図４】図４は、図３中II部の拡大断面図である。
【図５】図５は、本発明の一実施形態にかかるコネクタの結合状態を図１中Ａ、Ｂ、Ｄ以外の領域で幅方向に断面した断面図である。
【発明を実施するための形態】
【００１３】
以下、本発明の実施形態について図面を参照しつつ詳細に説明する。
【００１４】
図１〜図５は、本発明にかかるコネクタ１の一実施形態を示しており、本実施形態のコネクタ１は、図１および図２に示すように、相互に嵌合されるソケット２とヘッダ３とを備えている。なお、本実施形態を説明するにあたって、同図に示すように、図中Ｘ方向を幅方向、Ｙ方向を長手方向、Ｚ方向を上下方向として説明するものとする。
【００１５】
ソケット２は、図１に示すように、合成樹脂などの絶縁材料によって形成された細長い矩形状のソケット本体２１と、このソケット本体２１の対向した長辺に沿って所定ピッチをもって装着されるソケット側端子としての複数のコンタクト２２と、を備えている。
【００１６】
ソケット本体２１は、その周縁部に沿って略矩形環状に連続的に形成される周壁部２６と、中央部において周壁部２６から所定間隔をあけて形成される略矩形状の島部２７とを備えており、これら周壁部２６と島部２７との間にヘッダ３を嵌合するための凹部２３が形成されている。
【００１７】
そして、凹部２３の設けられたソケット２の幅方向両側にコンタクト２２が一対設けられており、この一対のコンタクト２２がそれぞれソケット２の長手方向に複数配列されることで、ソケット側端子群２２Ｇを構成している。
【００１８】
コンタクト２２は、導電性を有する細長い金属などの弾性材料を曲げ加工することにより形成されている。図３に示すように、コンタクト２２は、ソケット本体２１の幅方向外方に突出する端子部２２１と、この端子部２２１の内側端部から上方に延長してソケット本体２１に保持される被保持部２２２と、この被保持部２２２の上端部からソケット本体２１の内方に向かって湾曲しつつ下方に延長される第１の接触部２２３と、この第１の接触部２２３の下端部から更にソケット本体２１の内方に向けて延長される連結部２２４と、この連結部２２４の内側端部から上方に立ち上がり、且つその先端部が第１の接触部２２３に対向する方向に湾曲して突出される第２の接触部２２５と、を備えている。
【００１９】
そして、第１の接触部２２３と第２の接触部２２５とは、互いに対向する方向の弾発力が備わっており、これら第１の接触部２２３と第２の接触部２２５とが上述したソケット本体２１の凹部２３内に露出して配置されるとともに、端子部２２１がソケット本体２１の下端に沿って外方に突出して配置される。このようにソケット本体２１から突出した端子部２２１は、図示省略した一方の配線基板に実装される。
【００２０】
一方、ヘッダ３は、同様に合成樹脂などの絶縁材料によって形成された細長い矩形状のヘッダ本体３１と、このヘッダ本体３１の対向する長辺に沿ってコンタクト２２のピッチと等しいピッチをもって装着されるヘッダ側端子としての複数のポスト３２と、を備えている。
【００２１】
ヘッダ本体３１は、その周縁部に沿って略矩形環状に連続的に形成される周壁部３３を備えており、この周壁部３３の内方に略平坦な底壁部３４が形成されている。
【００２２】
そして、周壁部３３の設けられた幅方向両側にポスト２２が一対設けられており、この一対のポスト３２がそれぞれヘッダ３の長手方向に複数配列されることで、ヘッダ側端子群３２Ｇを構成している。
【００２３】
ポスト３２は、コンタクト２２と同様に導電性を有する細長い金属などの弾性材料を曲げ加工することにより形成されている。図３にも示すように、ポスト３２は、ヘッダ本体３１の外側面に露出する第１の接触部３２１と、この第１の接触部３２１の上端部から下方に向かってＵ字状に折曲される第２の接触部３２２と、この第２の接触部３２２からヘッダ本体３１の幅方向外方に向かって突出する端子部３２３と、を備えている。
【００２４】
そして、Ｕ字状に折曲された第１の接触部３２１と第２の接触部３２２とは、ヘッダ本体３１の周壁部３３を上方から挟持し、この状態で端子部３２３がヘッダ本体３１の下端に沿って外方に突出して配置される。このようにヘッダ本体３１から突出した端子部３２３は、図示省略した他方の配線基板に実装される。
【００２５】
このようにソケット２とヘッダ３とを備えたコネクタ１は、図３に示すように、ポスト３２がそれぞれ取り付けられた周壁部３３を、コンタクト２２がそれぞれ取り付けられた凹部２３に差し込む。これにより、ポスト３２の第１の接触部３２１がコンタクト２２の第１の接触部２２３に接離自在に圧接されるとともに、ポスト３２の第２の接触部３２２がコンタクト２２の第２の接触部２２５に接離自在に圧接される。この状態で、コンタクト２２とポスト３２とは電気的に接続されて、一方の配線基板と他方の配線基板とを導通させることができる。
【００２６】
このとき、図４に示すように、コンタクト２２の第１の接触部２２３とポスト３２の第１の接触部３２１とには、互いに相手側の端子に係合してソケット２とヘッダ３との結合状態を保持するロック部１０が設けられている。
【００２７】
本実施形態のロック部１０は、コンタクト２２の第１の接触部２２３に形成される第１の段差部１１と、ポスト３２の第１の接触部３２１に形成される第２の段差部１２とによって構成されている。
【００２８】
第１の段差部１１は、コンタクト２２の第１の接触部２２３のポスト３２接触面を、傾斜した段差面１１ａを介して下方側を薄肉化することにより形成されている。一方、第２の段差部１２は、ポスト３２の第１の接触部３２１のコンタクト２２接触面を、傾斜した段差面１２ａを介して下方側（図４中、上方側）を薄肉化することにより形成されている。
【００２９】
したがって、ヘッダ３をソケット２に嵌合させる際には、ポスト３２の第１および第２の接触部３２１、３２２が、コンタクト２２の第１および第２の接触部２２３、２２５を弾性力に抗して押し開きつつ挿入され、第２の段差部１２が第１の段差部１１を乗り越えることにより、図３に示すようにロックされる。そして、第１の段差部１１の段差面１１ａと第２の段差部１２の段差面１２ａとが図示するように互いに係合されることによって、ソケット２とヘッダ３との結合状態が保持される。
【００３０】
一方、ソケット２とヘッダ３とを離脱させる際には、これら両者を引き剥がし方向に抜去することにより、第１の段差部１１の段差面１１ａと第２の段差部１２の段差面１２ａとが相対摺動しつつ、コンタクト２２の第１および第２の接触部２２３、２２５を押し開いて第１の段差部１１と第２の段差部１２との係合が解除され、この状態でソケット２とヘッダ３とを分離させることができる。
【００３１】
ここで、本実施形態では、上述のロック部１０を、ソケット２とヘッダ３との離脱時に主に抜去力Ｆが印加される部位にのみ設けるようにしている。つまり、抜去力Ｆが印加される部位では、図４に示すようにロック部１０が設けられるが、その他の部位では、図５に示すようにロック部１０が設けられないようにしている。なお、主に抜去力Ｆが印加される部位とは、ソケット２とヘッダとを離脱させる際に、例えば作業者等が手、指などで握り持つ付近を指している。
【００３２】
そして、本実施形態では抜去力Ｆが印加される部位を、ソケット側端子群２２Ｇおよびヘッダ側端子群３２Ｇの両端部に設定するようにし、ロック部１０を、図１および図２に示すように、ソケット側端子群２２Ｇおよびヘッダ側端子群３２Ｇの図中Ａ、ＢおよびＡ′、Ｂ′で示す両端部に設けるようにしている。こうすれば、本実施形態のようにコネクタ１が細長い形状に形成されている場合に、ソケット２とヘッダ３との結合状態をより安定的に保持できるため、好適である。
【００３３】
また、本実施形態では、ソケット側端子群２２Ｇは、コネクタ１の幅方向に一対設けられたコンタクト２２がコネクタ１の長手方向に複数配列して構成されており、かつ、ヘッダ側端子群３２Ｇは、コネクタ１の幅方向に一対設けられたポスト３２がコネクタ１の長手方向に複数配列して構成されている。よって、抜去力Ｆが印加される部位は、ソケット側端子群２２Ｇの四隅部分Ｃ１、Ｃ２、Ｃ３、Ｃ４およびヘッダ側端子群３２Ｇの四隅部分Ｃ１′、Ｃ２′、Ｃ３′、Ｃ４′に設定されており、この四隅部分Ｃ１、Ｃ２、Ｃ３、Ｃ４およびＣ１′、Ｃ２′、Ｃ３′、Ｃ４′に、それぞれロック部１０を設けるようにしている。
【００３４】
なお、ソケット２とヘッダ３とを離脱させる際の抜去力Ｆは、第１の段差部１１と第２の段差部１２との係合量ｋの大きさによって決定されるが、本実施形態では、係合量ｋ（段差面１１ａと段差面１２ａとが接触する係合幅）を、０．０２ｍｍ程度としてある。
【００３５】
ところで、本実施形態では、上述のロック部１０を、ソケット側端子群２２Ｇおよびヘッダ側端子群３２Ｇの両端部以外に、図１および図２に示すように、ソケット側端子群２２Ｇおよびヘッダ側端子群３２ＧのＤおよびＤ′で示す中央部にも設けるようにしている。このように、本実施形態では、ロック部１０をコネクタ１の中央部にさらに設けるようにしたので、ソケット２とヘッダ３とを嵌合する際のクリック感を大きくして、ソケット２とヘッダ３との結合不良の発生を抑制することができるという利点がある。
【００３６】
以上の構成により、本実施形態のコネクタ１によれば、コンタクト２２およびポスト３２のロック部１０を、ソケット２とヘッダ３との離脱時に主に抜去力Ｆが印加される部位にのみ設けるようにしている。これにより、コンタクト２２およびポスト３２の配列数が増加した場合にも、コネクタ１全体の抜去力Ｆが増大してしまうのを抑制することができ、抜去力Ｆを安定させてソケット２とヘッダ３とを容易に離脱させることができる。
【００３７】
すなわち、本実施形態によれば、端子の配列数が増加した場合にも、ソケット２とヘッダ３とを容易に離脱させることの可能なコネクタ１ならびに当該コネクタ１で用いられるソケット２およびヘッダ３を得ることができる。
【００３８】
また、本実施形態では、抜去力Ｆが印加される部位を、ソケット側端子群２２Ｇおよびヘッダ側端子群３２Ｇの両端部Ａ、ＢおよびＡ′、Ｂ′（詳細には四隅部Ｃ１〜Ｃ４およびＣ１′〜Ｃ４′）に設定するようにしている。そのため、この両端部Ａ、ＢおよびＡ′、Ｂ′（四隅部Ｃ１〜Ｃ４およびＣ１′〜Ｃ４′）に、上述のロック部１０を設けることができ、これによってソケット２とヘッダ３との結合状態をより安定的に保持することができる。
【００３９】
なお、本実施形態では、ソケット側端子群２２Ｇおよびヘッダ側端子群３２をそれぞれ幅方向に一対設けるようにしたが、コンタクト２２およびポスト３２は幅方向に一対設けることなく、それぞれが幅方向に単一に設けられる構成であってもよい。その場合にも、ロック部１０を、ソケット側端子群２２Ｇおよびヘッダ側端子群３２Ｇの両端部に設ければよい。
【００４０】
さらにまた、本実施形態では、ロック部１０をソケット側端子群２２Ｇおよびヘッダ側端子群３２Ｇのそれぞれの中央部ＤおよびＤ′にさらに設けるようにしている。そのため、ソケット２とヘッダ３とを嵌合する際のクリック感を大きくすることができ、ソケット２とヘッダ３との結合不良の発生を抑制して、信頼性の高いコネクタを提供することができる。
【００４１】
以上、本発明の好適な実施形態について説明したが、本発明は上記実施形態には限定されず、種々の変形が可能である。
【００４２】
例えば、コンタクトおよびポストの形状は上述した実施形態に限ることなく、接離自在に接触してロック部が設けられる形状であればよい。
【符号の説明】
【００４３】
１  コネクタ
２  ソケット
２２  コンタクト（ソケット側端子）
２２Ｇ  ソケット側端子群
３  ヘッダ
３２  ポスト（ヘッダ側端子）
３２Ｇ  ヘッダ側端子群
１０  ロック部
Ｆ  抜去力
【図１】
2012155928.tif 000003
【図２】
2012155928.tif 000004
【図３】
2012155928.tif 000005
【図４】
2012155928.tif 000006
【図５】
2012155928.tif 000007